(57)【要約】【課題】ユーザが自発的な操作を行なうことなく、新着Ｗｅｂメールの存在確認を可能にする端末装置を提供する。【解決手段】携帯端末装置１０は、ネットワーク１００を介してＷｅｂメールをメールサーバ３０の受信箱３０ａから受信する。また、携帯端末装置１０は、異なる２つの時点において、受信箱３０ａのメール蓄積状態を示す蓄積状態データを取得する。さらに、２つの蓄積状態データを比較し、変化が生じた場合、差分データを生成する差分抽出部１５を備える。差分データが生成された場合、該差分データを新しいＷｅｂメールの着信として、表示部１６を介してユーザに通知する。【選択図】図１
2007034559.tif 000002
【特許請求の範囲】
【請求項１】
ネットワークを介してＷｅｂメールを受信可能な端末装置であって、
第１の時点及び該第１の時点から所定期間後の第２の時点において、前記ネットワーク上の受信Ｗｅｂメールを記憶する受信メール記憶部における、メール蓄積状態を示す蓄積状態データを取得する受信部と、
前記第１の時点での蓄積状態データ及び前記第２の時点での蓄積状態データを比較し、前記第１の時点及び前記第２の時点の間の蓄積状態データに変化があった場合、差分データを生成する差分抽出部と、
前記差分データが生成された場合、該差分データを新しいＷｅｂメールの着信として通知する通知部と、
を備える端末装置。
【請求項２】
請求項１に記載の端末装置であって、
前記通知部により新しいＷｅｂメールの着信が通知されたとき、当該新しいＷｅｂメールを前記受信メール記憶部から取り寄せる旨の操作をユーザが入力する操作部を更にそなえ、
前記差分データには、当該新しいＷｅｂメールの前記ネットワーク上における存在場所を示す識別子が含まれ、
ユーザが前記操作部に前記新しいＷｅｂメールを取り寄せる旨の操作を入力すると、前記受信部は、前記識別子に基づき、当該新しいＷｅｂメールを取り寄せる端末装置。
【請求項３】
請求項１または２記載の端末装置であって、
前記通知部が、新しいＷｅｂメールの着信をユーザに視覚的に知らせる表示部より構成される端末装置。
【請求項４】
請求項１ないし３のいずれか１項記載の端末装置であって、
前記端末装置が携帯端末装置である端末装置。
【請求項５】
請求項４記載の端末装置であって、
前記携帯端末装置の電池の残量を検出する電池残量検出部を更に備え、
前記電池残量検出部より検出された電池の残量に応じ、前記所定期間を制御する端末装置。
【請求項６】
請求項５記載の端末装置であって、
前記電池残量検出部より検出された電池の残量が所定値以下の場合、前記所定期間を増大させる端末装置。
【請求項７】
受信したＷｅｂメールを蓄積するメールサーバと、
ネットワークを介して前記Ｗｅｂメールを受信可能な携帯端末装置と、から構築されるＷｅｂメールシステムであって、
前記携帯端末装置は、第１の時点及び該第１の時点から所定期間後の第２の時点において、前記メールサーバにおけるメール蓄積状態を示す蓄積状態データを取得し、前記第１の時点での蓄積状態データ及び前記第２の時点での蓄積状態データを比較し、前記第１の時点及び前記第２の時点の間の蓄積状態データに変化があった場合、差分データを生成し、前記差分データが生成された場合、該差分データを前記Ｗｅｂメールの着信としてユーザに通知し、
前記携帯端末装置を介してユーザより前記Ｗｅｂメールの取得要求があった場合、前記メールサーバは前記Ｗｅｂメールを前記携帯端末装置へ送信する、Ｗｅｂメールシステム。
【発明の詳細な説明】
【技術分野】
【０００１】
本発明は、Ｗｅｂメールシステムの利用に関し、特に、新着メールの着信通知機能をもつ端末装置、Ｗｅｂメールシステムに関するものである。
【背景技術】
【０００２】
近年、インターネットの普及に伴い、Ｗｅｂブラウザを用いた電子メールによる情報交換の機会が飛躍的に増大している。そして、携帯電話のごとき携帯端末装置にもＷｅｂブラウザ機能を搭載したものが登場している。このような携帯端末装置は、当該Ｗｅｂブラウザを用いてインターネット上のメールサーバからブラウザ表示用のＨＴＭＬで受信メールをダウンロードし、Ｗｅｂメールを受信する。
【０００３】
Ｗｅｂメールは、Ｗｅｂブラウザで利用することができ電子メールシステムであり、受信したメールの閲覧や、新規メッセージの作成・送信などをＷｅｂブラウザのみで行なうことができる。通常のメールと違ってすべてのメッセージをサーバ側で管理するため、ユーザはどこからでもメールをチェックしたり過去のメールを参照したりできる。特に近年は、携帯端末装置用の通信プロトコルであるＷＡＰ（Wireless Application Protocol）が開発されるとともに多くの機能が付加され、多種類のサービスが利用できるようになってきている。
【発明の開示】
【発明が解決しようとする課題】
【０００４】
ところで、このようなＷｅｂメールシステムにおいては、端末装置、特に携帯端末装置のユーザが新着メールの有無を確認したい場合、新着メールの確認のため、自ら端末装置を操作し、メールサーバにアクセスする必要があった。従って、新着メールの有無、メールの受信状態をリアルタイムで把握することは面倒な作業であり、事実上は困難なものであった。
【０００５】
本発明は、こうした事情を考慮して開発されたものであり、Ｗｅｂメールの着信状態をリアルタイムにユーザに知らせることのできる端末装置、Ｗｅｂメールシステムを提供することを目的としている。
【課題を解決するための手段】
【０００６】
本発明は、ネットワークを介してＷｅｂメールを受信可能な端末装置であって、第１の時点及び該第１の時点から所定期間後の第２の時点において、前記ネットワーク上の受信Ｗｅｂメールを記憶する受信メール記憶部における、メール蓄積状態を示す蓄積状態データを取得する受信部と、前記第１の時点での蓄積状態データ及び前記第２の時点での蓄積状態データを比較し、前記第１の時点及び前記第２の時点の間の蓄積状態データに変化があった場合、差分データを生成する差分抽出部と、前記差分データが生成された場合、該差分データを新しいＷｅｂメールの着信として通知する通知部とを備える端末装置を提供する。
【０００７】
上記構成によれば、端末装置が２つの時点におけるＷｅｂメールの受信状態を比較し、変化があった場合にそれをユーザに通知する。従って、自発的な端末装置に対する操作なくして、ユーザはメールの着信の有無を知ることが可能となる。
【０００８】
また、メールサーバの如きＷｅｂメール配信装置を含むネットワーク側（インフラ側）の構成に手を加えることなく、上述した機能を提供することが可能なため、実現も比較的容易である。
【０００９】
また、端末装置において前記通知部により新しいＷｅｂメールの着信が通知されたとき、当該新しいＷｅｂメールを前記受信メール記憶部から取り寄せる旨の操作をユーザが入力する操作部が更に設けられる。そして、前記差分データが、当該新しいＷｅｂメールの前記ネットワーク上における存在場所を示す識別子が含む場合、ユーザが前記操作部に前記新しいＷｅｂメールを取り寄せる旨の操作を入力すると、前記受信部は、前記識別子に基づき、当該新しいＷｅｂメールを取り寄せる。
【００１０】
上記構成によれば、新着Ｗｅｂメールの着信通知があった場合、容易に新着のＷｅｂメールを入手することが可能となる。
【００１１】
前記通知部を、新しいＷｅｂメールの着信をユーザに視覚的に知らせる表示部より構成することができる。この表示部は、液晶ディスプレイ等より構成することができる。
【００１２】
上記端末装置は特に携帯端末装置として好ましく用いられる。この場合、携帯端末装置の電池の残量を検出する電池残量検出部を更に設け、当該前記電池残量検出部より検出された電池の残量に応じ、前記所定期間を制御するような構成にしてもよい。また、残量が所定値以下の場合、所定期間を増大させるよう構成してもよい。
【００１３】
携帯端末装置においては電池寿命の確保が課題であるが、上記構成によれば電池残量に応じ、受信メール記憶部への単位時間のアクセス回数を制御することが可能となるため、
電池寿命をより確保しやすくなる。
【００１４】
更に本発明は、受信したＷｅｂメールを蓄積するメールサーバと、ネットワークを介して前記Ｗｅｂメールを受信可能な携帯端末装置とから構築されるＷｅｂメールシステムを提供する。ここで前記携帯端末装置は、第１の時点及び該第１の時点から所定期間後の第２の時点において、前記メールサーバにおけるメール蓄積状態を示す蓄積状態データを取得し、前記第１の時点での蓄積状態データ及び前記第２の時点での蓄積状態データを比較し、前記第１の時点及び前記第２の時点の間の蓄積状態データに変化があった場合、差分データを生成し、前記差分データが生成された場合、該差分データを前記Ｗｅｂメールの着信としてユーザに通知し、前記携帯端末装置を介してユーザより前記Ｗｅｂメールの取得要求があった場合、前記メールサーバは前記Ｗｅｂメールを前記携帯端末装置へ送信する。
【発明の効果】
【００１５】
本発明によれば、ユーザが、自らの端末操作によりメールサーバにアクセスすることなく、新着メールの有無を確認することが可能となる。
【００１６】
また、従来よりいわゆるＷＡＰ（Wireless Application Protocol）Ｐｕｓｈによりメール新着を通知し、そのＰｕｓｈメッセージ内のＵＲＬからＷｅｂメールにアクセスする機能は提供されていた。しかしながら、ＷＡＰ機能を使用するためには、端末側だけでなくサーバ側にもＰｕｓｈ機能の構築が必要であり、余計な時間的、費用的コストを要するものであった。本発明によれば、サーバ側に手を加えることなく、現在のシステムを流用して、自発的、定期的に新着メールの確認のためメールサーバにアクセスすることなく、新着メールの有無を確認することが可能となる。
【発明を実施するための最良の形態】
【００１７】
図１は、携帯端末装置が、所定のネットワーク上でＷｅｂメールの送受信に使用されるＷｅｂメールシステムを概念的に示したものである。この例においては、携帯端末装置１０Ａたる端末Ａから、Ｗｅｂメールが携帯端末装置１０Ｂたる端末Ｂに向けて送信されている。端末Ａから発信されたＷｅｂメールは、広域ネットワークを形成するインターネット１００上のメールサーバ３０の受信メール記憶部を構成する受信箱（Ｉｎｂｏｘ）３０ａに一旦蓄積される。そして、端末Ｂが受信箱３０ａに蓄積されたＷｅｂメールを受信することにより、端末Ｂのユーザは該メールを読むことができる。
【００１８】
Ｗｅｂメールは、Ｗｅｂブラウザで利用することができ電子メールシステムであり、受信したメールの閲覧や、新規メッセージの作成・送信などをＷｅｂブラウザのみで行なうことができる。通常のメールと違ってすべてのメッセージをサーバ側で管理するため、ユーザはどこからでもメールをチェックしたり過去のメールを参照したりできる。
【００１９】
このようなＷｅｂメールシステムにおいては、従来、端末Ｂのユーザが新着メールの有無を確認したい場合、メールサーバ３０に自発的にアクセスする必要があった。メールの受信状態をリアルタイムで把握するためには、ユーザが端末Ｂを定期的に操作してメールサーバ１０にアクセスする必要があり、このような操作は煩わしいものである。
【００２０】
端末がＡＤＳＬ等を用いたネットワーク常時接続環境にある場合、受信箱３０ａ中のＷｅｂメールは常時端末側に送信されることとなる。従って、ユーザが新着メール着信の有無をリアルタイムに把握することは可能となる。しかしながら、未だ総ての端末が常時接続環境にあるわけではない。特に携帯電話のような携帯端末装置にいたっては、常時接続環境下での通信はいまだ実用化されていない。また、携帯端末装置を常時接続環境に置くことにより、メールサーバ側の負担も増すこととなる。
【００２１】
そこで、本発明においては、ネットワーク上の受信メール記憶部（受信箱）の状態を、端末装置が定期的に把握することとしている。そして、前回把握された状態と、新たに把握された状態を比較し、変化があった場合、ユーザに当該変化を新着メールの受信として通知する構成を採用している。
【００２２】
（第１の実施形態）
図１は、本発明の第１の実施形態における携帯端末装置１０の構成を示すブロック図である。この携帯端末装置１０は、アンテナ１１と、送受信部１２と、制御部１３と、解釈部１４と、差分抽出部１５と、表示部１６と、バイブレータ１７と、スピーカ１８と、操作部２０とを備えている。
【００２３】
アンテナ１１は、無線通信下において、ネットワーク１００の図示しない基地局（ＢＳ）と無線電波を用いてＷｅｂメールの送受信を行なうものであり、種々の形式のものが使用される。
【００２４】
送受信部１２は、ハードウェア的には、アンテナ１１を介して無線電波を送受信するための無線回路や整合回路等の種々の回路を備えるとともに、アプリケーションとして、メールサーバ３０の受信箱３０ａに蓄積されたＷｅｂメールをダウンロードするＷｅｂブラウザも格納している。また、送受信部１２は、異なる２つの時点において、受信箱３０ａ中の受信メールの蓄積状態を示す蓄積状態データを取得することができる。この機能については後述する。
【００２５】
制御部１３は、携帯端末装置１０全体の制御を行なうものであり、所定の演算処理装置とともに、携帯端末装置１０の種々の機能を発揮するための所定のプログラムを格納する領域、メモリ等も備えている。
【００２６】
解釈部１４は、制御部１３の指令によりアンテナ１１、送受信部１２を介して受信したＷｅｂメールの内容を解釈する部分である。解釈部１４は、受信したＷｅｂメールのテキスト部分を所定のアプリケーションを用いて解釈し、表示部１６に表示可能な文字データに変換する。また、受信したメール中に画像データ、音声データ等が含まれている場合は、該画像データ、音声データに対応したアプリケーションソフトを起動し、解釈する。また、受信したメール中に圧縮データが添付されている場合は、当該圧縮データを解凍可能な解凍ソフトを用いる。
【００２７】
差分抽出部１５は、異なる２つの時点でアンテナ１１、送受信部１２を介して受信した受信箱３０ａの２つの状態を比較し、２つの時点の状態に変化が生じた場合はそれを検出することが可能である。上述したように、送受信部１２は、異なる２つの両時点において、受信箱３０ａ中の受信メールの蓄積状態を示す蓄積状態データを取得する。そして、差分抽出部１５は、取得した２つの蓄積状態データを比較することにより、両時点間の受信箱３０ａ中の受信メールの蓄積状態の変化、差分に相当する差分データを生成することができる。
【００２８】
蓄積状態データの簡単な例は、受信箱３０ａ中の蓄積メール数である。例えば、所定の第１の時点での蓄積メール数が「０」であり、その後所定期間後の第２の時点での蓄積メール数が「３」の場合は、両時点で差分があるものとして、差分抽出部１５は差分データを作成する。
【００２９】
また、新着メールが存在する場合、蓄積状態データにネットワーク１００上における該新着メールの存在場所を示す識別子としてのメール所在アドレスを含ませることができる。このようなメール所在アドレスは、メールサーバ３０のアドレスに相当する（例えばメールサーバのＵＲＬ）。そしてメール所在アドレスは差分データにも残るため、差分データから新着メールアドレスにアクセスすることが可能となる。もちろん蓄積状態データとして他のデータを採用することもできる。
【００３０】
表示部１６は、液晶ディスプレイ（ＬＣＤ）等により構成され、解釈されたＷｅｂメールの内容を視覚的にユーザに対し表示する部分である。また、携帯端末装置が折り畳み式の場合、表示部１６は、メインＬＣＤと背面側ＬＣＤ（サブＬＣＤ）を一般的に備える。この場合、ユーザは、たとえ折り畳み携帯端末装置を開かなくても、閉じた状態のまま、背面側ＬＣＤを参照することにより、電池残量、時刻、新着メールの有無等の簡易な情報を確認することができる。
【００３１】
バイブレータ１７、スピーカ１８は新着メールの受信等の情報を、各々振動、音声によってユーザに通知する部分である。
【００３２】
表示部１６、バイブレータ１７、スピーカ１８は、差分抽出部１５で上述した差分データが生成された場合は、それぞれのメッセージをユーザに発する。例えば、上述の差分データの例において、表示部１６として背面側ＬＣＤを有する携帯電話の場合、背面側ＬＣＤに、「新着メールがあります」又は「新着メールが３通あります」旨のメッセージを表示する。
【００３３】
操作部２０は、携帯端末装置１０の筐体上に形成された種々のキー、（十字キー、テンキー、スクロールキー等）、ダイヤル、ボタン等より構成され、ユーザが欲する操作を受け付ける。音声による入力操作を受け付ける形式や、表示部１６上に表示されたタッチパネル形式のものを採用することもでき、その種類は限定されない。
【００３４】
続いて、本実施形態の携帯端末装置１０の動作を説明する。図３は、表示部１６としてメインＬＣＤと背面側ＬＣＤを有する折畳式の携帯端末装置（携帯電話）１０が、Ｗｅｂメールの着信有無を確認する際の手順を示すフローチャートである。
【００３５】
まず、操作部２０の電源スイッチのオン等により、携帯端末装置１０の電源がオンとなると、制御部１３の指示により、送受信部１２はＷｅｂブラウザを起動し、アンテナ１１を介して、ネットワーク１００上のメールサーバ３０の受信箱３０ａの状態を確認する旨のメッセージをサーバ３０へ送る。サーバ３０は受信箱３０ａの蓄積状態を示す蓄積状態データを送る。そして、制御部１３は、受信した蓄積状態データを差分抽出部１５又はその他の図示せぬ記憶領域に保存する（ステップＳ１０１）。
【００３６】
ステップＳ１０１は、携帯端末装置１０の電源がオンとなった際のみ（初回起動時のみ）に実行される。ただし、携帯端末装置１０が、ネットワーク１００との通信圏外に入った後通信圏内に復帰したような場面においてもステップＳ１０１を実行するよう、制御部１３は送受信部１２を制御することができる。初回起動時においては、ステップＳ１０１は、第１の時点で行なわれる。
【００３７】
次に、予めデフォルト値として指定された、又はユーザが任意に指定した
一定時間経過後（ステップＳ１０２）、再びステップＳ１０１と同様の方法にて、携帯端末装置１０は蓄積状態データを得て保存する（ステップＳ１０３）。初回起動時においては、ステップＳ１０３は、第２の時点で行なわれる。
【００３８】
次に、差分抽出部１５は、ステップＳ１０１で取得した蓄積状態データとステップＳ１０３で取得した蓄積状態データを比較する（ステップＳ１０４）。比較の結果、差分データが検出されなかった場合、すなわち、
受信箱の状態に変化がなかった場合は（ステップＳ１０４でＮＯ）、ステップＳ１０２に戻り、一定時間の経過を再び待つ。
【００３９】
一方、差分データが検出された場合、すなわち、
受信箱の状態に変化があった場合は（ステップＳ１０４でＹＥＳ）、背面側ＬＣＤに新着メールがある旨のメッセージを表示してユーザに知らせる（ステップＳ１０５）。ＬＣＤの代わりに、バイブレータ１７による振動や、スピーカ１８を介した「新着メールがあります」、「新着メールが３通あります」の如き音声メッセージを使用することもできる。
【００４０】
この後、携帯端末装置１０のユーザが、新着メールを読むことを欲する場合は（ステップＳ１０６でＹＥＳ）、アンテナ１１、送受信部１２を介し、受信箱３０ａにアクセスして、受信メールの内容を取得する。ここで、本例では、
通知メッセージ、すなわち、差分データには、新着メールの所在場所を示すメール所在アドレス、すなわち、メールサーバ３０のＵＲＬが含められている。従って、ユーザは、通知メッセージから新着メールに直接アクセスすることが可能となる（ステップＳ１０７）。
【００４１】
具体的な態様としては、ステップＳ１０５において、表示部１６のメインＬＣＤにメールを読むか否かを選択させる旨の画面表示がなされる。ユーザは操作部２０を操作して、メールを読む旨を選択する。
【００４２】
携帯端末装置１０は受信メールを取得すると同時に、ステップＳ１０１、ステップＳ１０３と同様に受信箱３０ａの蓄積状態データをも再度取得し、差分抽出部１５又はその他の図示せぬ記憶領域に保存し、ステップＳ１０２に戻って一定時間の経過を再び待つ（ステップＳ１０８）。その後ステップＳ１０３以降の処理が続行される。
【００４３】
ステップＳ１０５の後、携帯端末装置１０のユーザが、新着メールを読むことを欲しな場合は（ステップＳ１０６でＮＯ）、ステップＳ１０１、ステップＳ１０３と同様に当該時点における受信箱３０ａの蓄積状態データのみを再度取得し、差分抽出部１５又はその他の図示せぬ記憶領域に保存し、ステップＳ１０２に戻って一定時間の経過を再び待つ（ステップＳ１０８）。その後ステップＳ１０３以降の処理が続行される。
【００４４】
以上の様に、本実施形態によれば、携帯端末装置１０が２つの時点における受信箱３０ａ内のメールの受信状態を比較し、変化があった場合に、それを表示部１６等を介してユーザに通知する。すなわち、携帯端末装置１０が受信箱３０ａに自動的にアクセスして新着メールの有無を調べ、新着メールがあった場合、ユーザに知らせることが可能となる。従って、自発的な操作部２０に対する操作なくして、ユーザはメールの着信の有無を知ることが可能となる。
【００４５】
また、本実施形態によれば、メールサーバ３０を含むネットワーク１００側（インフラ側）の構成に手を加えることなく、上述した機能を提供することが可能であり、実現も比較的容易である。
【００４６】
また、ステップＳ１０７のように、新着メールの通知があった場合、ユーザは容易に当該メールを入手し、読むことができる。
【００４７】
（第２の実施形態）
図４は、本発明の第２の実施形態における携帯端末装置１０の構成を示すブロック図である。この携帯端末装置１０は、図２に示した第１の実施形態の携帯端末装置の構成に加え、電池残量チェック部（電池残量検出部）２１、電池２２を示している。
【００４８】
電池残量チェック部２１は、電池２２の残量を監視、検出し、検出された電池残量に応じて、制御部１３は、メールサーバ３０へのアクセス回数を制御する（電池寿命の延命）。具体的には、メールサーバ３０への所定時間におけるアクセス回数を減らすことにより、電池２２の寿命を延ばすことが可能となる。
【００４９】
続いて、本実施形態の携帯端末装置１０の動作を説明する。図５は、図３と同様、表示部１６としてメインＬＣＤと背面側ＬＣＤを有する折畳式の携帯端末装置（携帯電話）１０が、Ｗｅｂメールの着信有無を確認する際の手順を示すフローチャートである。ステップＳ２０１及びステップＳ２０１の内容は、ステップＳ１０１及びステップＳ１０１と同じである。
【００５０】
そして、本実施形態ではステップＳ２０２の後、電池残量チェック部２１において検出された電池残量により、当該電池残量が十分な否かの判断が制御部１３にてなされる。（ステップＳ２０３）。判断はフル充電量に対する所定の割合を基準として判断してもよいし、温度等の要因を考慮してもよく、その設定は自由である。
【００５１】
そして、ステップＳ２０３で電池残量が十分である（所定量より多い）と判断された場合は（ステップＳ２０３でＹＥＳ）、ステップＳ１０３と同様、携帯端末装置１０は蓄積状態データを得て保存し（ステップＳ２０５）、以降図３のステップＳ１０４からステップＳ１０８と同様の操作が行なわれる（ステップＳ２０６〜ステップＳ２１０）。
【００５２】
一方、ステップＳ２０３で電池残量が十分でない（所定量より少ない）と判断された場合は（ステップＳ２０３でＮＯ）、制御部１３は一定時間の経過を待つ制御をした後（ステップＳ２０４）、携帯端末装置１０は蓄積状態データを得て保存する（ステップＳ２０５）。一定時間の経過を待つことにより、メールサーバ３０へのアクセス回数が減らされ電池２２の寿命を延ばすことが可能となる。以降図３のステップＳ１０４からステップＳ１０８と同様の操作が行なわれる（ステップＳ２０６〜ステップＳ２１０）。ここでの経過待ちの一定時間についてもその設定は自由であり、状況に応じて可変にすることもできる。
【００５３】
以上の様に本実施形態では、第１の実施形態の効果に加え、電池残量チェック部２１より検出された電池の残量に応じ待ち時間が制御される。携帯端末装置においては電池寿命の確保が課題であるが、上記構成によれば電池残量に応じ、受信箱３０ａへの単位時間のアクセス回数を制御することが可能となるため、電池寿命をより確保しやすくなる。
【００５４】
尚、メールサーバ３０の受信箱３０ａの状態を保存する際、画像などの無関係なデータは取得しない制御を行なうようにしてもよい。この制御により、データ通信量の削減による通信コストの削減とともに、処理負荷の削減をも図ることができる。
【００５５】
また、ここでは、携帯端末装置について説明したが、本発明は、携帯電話、ＰＤＡ(Personal Digital Assistant)等の各種携帯端末装置に適用することができる。しかしながら、本発明は、携帯端末に限られず、固定型の端末装置にも利用可能である。特に固定型の端末装置が常時接続環境にない場合、本発明は有用である。
【００５６】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００５７】
本発明は、端末装置におけるＷｅｂメールの使い勝手を改善することができ、各種端末装置、Ｗｅｂメールシステムに対して広く適用することができる
【図面の簡単な説明】
【００５８】
【図１】携帯端末装置により、ネットワークを介してＷｅｂメールを送受信する状況を示す概念図
【図２】本発明の第１の実施形態における携帯端末装置の構成を示すブロック図
【図３】本発明の第１の実施形態における携帯端末装置の動作を示すフロー図
【図４】本発明の第２の実施形態における携帯端末装置の構成を示すブロック図
【図５】本発明の第２の実施形態における携帯端末装置の動作を示すフロー図
【符号の説明】
【００５９】
１０    携帯端末装置
１１    アンテナ
１２    送受信部
１３    制御部
１４    解釈部
１５    差分抽出部
１６    表示部
１７    バイブレータ
１８    スピーカ
２０    操作部
２１    電池残量チェック部
２２    電池
３０    メールサーバ
３０ａ  受信箱
１００  ネットワーク
【図１】
2007034559.tif 000003
【図２】
2007034559.tif 000004
【図３】
2007034559.tif 000005
【図４】
2007034559.tif 000006
【図５】
2007034559.tif 000007